(57)【特許請求の範囲】
【請求項１】
遊技機の所定位置に固定された基台と、この基台上に回転可能に搭載された支持台と、この支持台の回転中心軸に沿って昇降可能に支持された駆動体と、前記支持台に軸支された軸部を有すると共に前記駆動体の昇降動作に伴って前記軸部を回転軸として開閉動作する一対の羽根状部材と、前記基台に取り付けられたモータと、このモータを駆動源として正逆両方向へ回転可能な回転体と、前記モータの回転を制御する駆動制御手段とを備え、
前記回転体に平滑部と傾斜部が連続するカム孔を設けると共に、前記駆動体に前記カム孔に係合する駆動ピンを設け、
前記回転体の回転に伴って前記駆動ピンが前記傾斜部内を往復移動することにより、前記回転体の回転を前記駆動体の昇降動作に動力変換して前記羽根状部材を開閉動作させ、
前記回転体の回転に伴って前記駆動ピンが記平滑前部の端部を押圧することにより、前記回転体の回転を前記駆動体を介して前記支持台に伝達するようにしたことを特徴とする可動役物装置。
【請求項２】
請求項１の記載において、前記カム孔は一対の前記平滑部の間に前記傾斜部を有する段違い形状に形成されており、前記駆動ピンがいずれか一方の前記平滑部と係合する位置にあるときに前記羽根状部材の開き角度は最大となり、前記駆動ピンがいずれか他方の前記平滑部と係合する位置にあるときに前記羽根状部材の開き角度は最少となり、前記駆動制御手段が前記モータの回転方向を交互に制御することにより、前記駆動ピンが一方の前記平滑部と他方の前記平滑部と交互に係合して前記傾斜部内を往復移動することを特徴とする可動役物装置。
【発明の詳細な説明】
【技術分野】
【０００１】
本発明は、パチンコ機やスロットマシン等の遊技機に備えられる可動役物装置に係り、特に、蝶が羽ばたくような動きをする可動役物装置に関するものである。
【背景技術】
【０００２】
パチンコ機に代表される遊技機の中には、遊技盤の遊技領域に設けた枠状のセンター役物内に可変表示装置を配置すると共に、センター役物や遊技領域の周囲にフィギアやギミック等と呼ばれる可動役物装置を配置し、可変表示装置の表示内容と可動役物装置の動きを組み合わせて興趣性の高い演出を行うようにした機種が存在する。可動役物装置はモータやソレノイドを駆動源として種々の運動を行うようになっており、その一例として、遊技盤の盤面上で一対の羽根状部材をパタパタと開閉動作させて蝶のような動きをする可動役物装置が従来より知られている（例えば、特許文献１参照）。
【０００３】
特許文献１に開示された遊技機の可動役物装置は、遊技盤の盤面に固定された基台と、基台に昇降可能に支持された駆動体と、駆動体の上端側に連結された一対の羽根状部材と、駆動体の昇降方向に対して直交する方向へ移動可能なスライド部材とを備えており、駆動体の下端側に設けた突起をスライド部材に形成したカム孔に係合させた構成となっている。このように構成された可動役物装置では、モータを駆動源としてスライド部材が直線的に往復移動すると、その移動が突起とカム孔の係合部分で直交方向の動きに変換されることにより、駆動体が遊技盤の盤面と直交する方向へ昇降動作し、この駆動体の昇降動作に伴って一対の羽根状部材が開閉動作するため、一対の羽根状部材が恰も蝶のようにパタパタと羽ばたく動きを実現できる。
【先行技術文献】
【特許文献】
【０００４】
【特許文献１】特開２００９−１３１３９６号公報
【発明の概要】
【発明が解決しようとする課題】
【０００５】
前述した従来の遊技機によれば、蝶のように羽ばたく可動役物装置の動きと可変表示装置の表示内容とを関連付けることで遊技の演出効果を高めることができるが、一対の羽根状部材が同じ位置でパタパタと開閉動作するだけであるため、かかる羽根状部材の開閉動作に回転動作という別の動きを加え、可動役物装置の動きにより一層のインパクトを持たせたいという要望がある。このような動きを実現するための一例として、モータを駆動源として羽根状部材を開閉動作させる上記の駆動機構を支持台に搭載し、この支持台を別のモータを駆動源として基台上で回転させることが考えられるが、この場合、可動役物装置の駆動機構に２つのモータを必要とするため、駆動機構全体が大型化してコスト高にもなるという難点がある。
【０００６】
本発明は、このような従来技術の実情に鑑みてなされたもので、その目的は、１つのモータを駆動源として羽根状部材の羽ばたき動作と回転動作を別々に表現できる可動役物装置を提供することにある。
【課題を解決するための手段】
【０００７】
上記の目的を達成するために、本発明の可動役物装置は、遊技機の所定位置に固定された基台と、この基台上に回転可能に搭載された支持台と、この支持台の回転中心軸に沿って昇降可能に支持された駆動体と、前記支持台に軸支された軸部を有すると共に前記駆動体の昇降動作に伴って前記軸部を回転軸として開閉動作する一対の羽根状部材と、前記基台に取り付けられたモータと、このモータを駆動源として正逆両方向へ回転可能な回転体と、前記モータの回転を制御する駆動制御手段とを備え、前記回転体に平滑部と傾斜部が連続するカム孔を設けると共に、前記駆動体に前記カム孔に係合する駆動ピンを設け、前記回転体の回転に伴って前記駆動ピンが前記傾斜部内を往復移動することにより、前記回転体の回転を前記駆動体の昇降動作に動力変換して前記羽根状部材を開閉動作させ、前記回転体の回転に伴って前記駆動ピンが記平滑前部の端部を押圧することにより、前記回転体の回転を前記駆動体を介して前記支持台に伝達するようにした。
【０００８】
このように構成された可動役物装置では、モータを駆動源として回転する回転体の回転に伴って、駆動体の駆動ピンが回転体に設けられたカム孔の傾斜部内を往復移動することにより、これら駆動ピンと傾斜部の係合部分で回転体の回転運動が駆動体の直線運動に変換されるため、駆動体が支持台の回転中心軸に沿って昇降動作し、それに伴って支持台に軸支された一対の羽根状部材が軸部を回転軸として蝶のようにパタパタと開閉動作する。また、回転体の回転に伴って駆動ピンがカム孔の平滑部の端部を押圧することにより、回転体の回転運動が駆動体を介して支持台に伝達されるため、一対の羽根状部材は支持台と一緒に回転動作する。したがって、駆動源であるモータの回転方向や回転量を制御することにより、一対の羽根状部材を支持台上で羽ばたき動作させたり支持台と一緒に回転動作させることができ、部品点数を削減してコストの低減化を図ることができる。
【０００９】
上記の構成において、カム孔が一対の平滑部の間に傾斜部を有する段違い形状に形成されており、駆動ピンがいずれか一方の平滑部と係合する位置にあるときに羽根状部材の開き角度は最大となり、駆動ピンがいずれか他方の平滑部と係合する位置にあるときに羽根状部材の開き角度は最少となり、駆動制御手段がモータの回転方向を交互に制御することにより、駆動ピンが一方の平滑部と他方の平滑部と交互に係合して傾斜部内を往復移動するものであると、羽根状部材の最大開き角度と最少閉じ角度を高精度に規定することができて好ましい。
【発明の効果】
【００１０】
本発明の可動役物装置は、モータを駆動源として正逆両方向へ回転可能な回転体を備え、この回転体に平滑部と傾斜部が連続するカム孔を設けると共に、支持台に昇降可能に支持された駆動体にカム孔と係合する駆動ピンが設けてあり、回転体の回転に伴って駆動ピンがカム孔の傾斜部内を往復移動過することにより、回転体の回転を駆動体の昇降動作に動力変換して羽根状部材を開閉動作させ、回転体の回転に伴って駆動ピンがカム孔の平滑部の端部を押圧することにより、回転体の回転が駆動体を介して支持台に伝達されるようになっているので、１つのモータの回転方向や回転量を制御することにより、一対の羽根状部材を支持台上で羽ばたき動作させたり支持台と一緒に回転動作させることができ、部品点数を削減してコストの低減化を図ることができる。
【図面の簡単な説明】
【００１１】
【図１】本発明の実施形態例に係る遊技機を正面側から見た斜視図である。
【図２】該遊技機の背面図である。
【図３】該遊技機に備えられる遊技盤ユニットの正面図である。
【図４】該遊技盤ユニットの斜視図である。
【図５】該遊技盤ユニットの構成部材であるセンター役物を示す斜視図である。
【図６】該遊技盤ユニットの構成部材である遊技盤を示す斜視図である。
【図７】該遊技盤ユニットの構成部材である装飾役物部材を示す斜視図である。
【図８】該遊技盤ユニットに配設された可動役物装置の斜視図である。
【図９】該可動役物装置の初期状態を示す正面図である。
【図１０】該可動役物装置の初期状態を示す側面図である。
【図１１】該可動役物装置の初期状態を示す背面図である。
【図１２】該可動役物装置の分解斜視図である。
【図１３】図９のＡ−Ａ線に沿う断面図である。
【図１４】該可動役物装置の主要部を示す斜視図である。
【図１５】該可動役物装置の主要部を示す分解斜視図である。
【図１６】該可動役物装置に備えられる回転体と駆動体を示す斜視図である。
【図１７】該可動役物装置の回転動作状態を示す正面図である。
【図１８】該可動役物装置の回転動作状態を示す側面図である。
【図１９】該可動役物装置の回転動作状態を示す背面図である。
【図２０】該可動役物装置の羽ばたき動作状態を示す正面図である。
【図２１】該可動役物装置の羽ばたき動作状態を示す側面図である。
【図２２】該可動役物装置の羽ばたき動作状態を示す背面図である。
【発明を実施するための形態】
【００１２】
発明の実施の形態について図面を参照して説明すると、図１に示すように、本発明の実施形態例に係る遊技機（パチンコ機）は、遊技場の島設備に設置される縦長方形状の機枠１と、機枠１に扉状に開閉自在に取り付けられた機器本体２と、機器本体２の前面に扉状に開閉自在に取り付けられたガラス扉３等を備えており、ガラス扉３にはガラスやプラスチック等からなる透明板４が取り付けられている。
【００１３】
機枠１の左下隅部には大型のスピーカ５が配設されており、このスピーカ５はガラス扉３の切り欠き内に位置して前方に露出している。機器本体２の上部内側には後述する遊技盤ユニット６が収納されており、この遊技盤ユニット６に設けられた遊技盤７の盤面（前面）は透明板４を透して目視可能となっている。また、機器本体２の右側枠部にはシリンダ錠８ａを有する施錠装置８が設置されており、図示省略されているが、この施錠装置８は機器本体２の裏面に配置された後部施錠杆と機器本体２の前面に配置された前部施錠杆とを備えている。常態では、施錠装置８の後部施錠杆によって機枠１に対して機器本体２が施錠されると共に、前部施錠杆によって機器本体２に対してガラス扉３が施錠されている。そして、シリンダ錠８ａの鍵穴に図示せぬ鍵を差し込み、この鍵を一方向（例えば時計回り）へ回動すると、後部施錠杆が下動して機器本体２が開錠されるようになっている。また、シリンダ錠８ａの鍵穴に差し込んだ鍵を他方向（反時計回り）へ回動すると、前部施錠杆が上動してガラス扉３が開錠されるようになっている。
【００１４】
ガラス扉３には遊技盤７の盤面に対向する大きな開口３ａが開設されており、この開口３ａは透明板４によって塞がれている。ガラス扉３の前面上部には比較的小型のスピーカ９が左右に１個ずつ配設されており、これらスピーカ９と前述した大型のスピーカ５とによって遊技に関する様々な効果音を発するようになっている。さらに、ガラス扉３の前面下部には、遊技盤ユニット６の裏面に配設された賞球払出装置（後述する）から払い出された遊技球を収容する上段受皿１０と、上段受皿１０から排出された遊技球を収容する下段受皿１１と、遊技者による押下操作が可能なプッシュ釦１２とが設けられており、上段受皿１０の右側方には図示せぬ発射装置の発射強度を調整するための操作ハンドル１３が配設されている。
【００１５】
図２に示すように、遊技盤ユニット６の裏面側には、遊技に関する主要な処理を行う主制御処理部１４と、主制御処理部１４からの指令を受けて前述したスピーカ５，９や後述する可変表示装置２４や可動役物装置４０等の各種装置を制御する副制御処理部１５と、前述した賞球払出装置１６と、主制御処理部１４からの指令を受けて賞球払出装置１６を制御する払出制御処理部１７と、操作ハンドル１３の回動操作量に応じて前記発射装置の作動を制御する発射制御処理部１８と、賞球数や大当たり回数等の各種情報を遊技場のホールコンピュータに出力する外部端子基板１９等が設けられている。主制御処理部１４は、ＣＰＵ（Central Processing Unit）と、予め定められた制御プログラムを格納するＲＯＭ（Read Only Memory）と、生成された処理情報の一時記憶および記憶した情報の削除を行うＲＡＭ（Random Access Memory）等が実装された制御基板（メイン基板）とを備えており、このＣＰＵがＲＯＭに格納された各種プログラムやデータを読み込んで実行することにより、遊技に関する主要な処理が行われる。
【００１６】
図３と図４に示すように、遊技盤ユニット６は、前述した遊技盤７とその後方に配置された装飾役物部材２０とで構成されており、これら遊技盤７と装飾役物部材２０はネジ止めやスナップ結合等により一体化されている。遊技盤７はアクリル樹脂等の無色透明な合成樹脂材料を用いて成形されており、この遊技盤７の前面に形成された遊技領域２１がガラス扉３の透明板４を透して外部から目視可能となっている。遊技領域２１は遊技盤７の前面と透明板４の裏面との間にできる空間であって、遊技盤７に設けられたガイドレール２２等によって略円形状に区画形成されている。そして、遊技者が操作ハンドル１３を回転操作すると、前記発射装置から遊技領域２１の上部に向けて遊技球が打ち出された後、この遊技球が遊技領域２１内を流下するようになっている。遊技領域２１には開口部２３ａを有する枠状のセンター役物２３が配置されており、装飾役物部材２０に組み込まれた可変表示装置２４の表示画面がセンター役物２３の開口部２３ａから露出している。
【００１７】
センター役物２３には、可動片によって塞がれた大入賞口２５ａの開閉制御を行うアタッカー装置２５や、開口部２３ａの下辺前縁側に位置するステージ２６や、ワープ通路２７、大入賞排出通路２５ｂ等が設けられており、アタッカー装置２５は開口部２３ａの左側辺に配置されている。ワープ通路２７の一端部はアタッカー装置２５の下方位置で遊技領域２１に向けて開口しており、ワープ通路２７の他端部はステージ２６に向けて開口している。ステージ２６は開口部２３ａの下辺の略中央部に向かって左右方向へ湾曲するように延びており、その中央部に形成された前傾斜溝が導出口２６ａに連通している。したがって、遊技領域２１を流下する遊技球がワープ通路２７内に入ると、この遊技球はワープ通路２７を通ってステージ２６上に排出された後、ステージ２６上を転動して導出口２６ａから遊技領域２１の前方に落下する。また、ステージ２６の後ろ側には仕切り壁４２が設けられており、この仕切り壁４２によって仕切られた後領域もステージ２６と同様に左右方向へ湾曲するように延びている。この後領域の略中央部には大入賞排出口（図示せず）が設けられており、大入賞口２５ａに入った遊技球は大入賞排出通路２５ｂを経由してこの大入賞排出口に到達するようになる。
【００１８】
遊技盤７の遊技領域２１内には、振分装置２８と、スルーチャッカー２９と、複数の一般入賞口３０と、アウト口３１の他、図示せぬ遊技釘や風車等が設けられており、遊技盤７の右下隅部には特別図柄表示装置３２と普通図柄表示装置３３が近接状態で設けられている。振分装置２８は上端に遊技球の導入口２８ａを有しており、その内部に第１始動入賞口３４と第２始動入賞口３５が設けられている。振分装置２８の導入口２８ａはステージ２６の導出口２６ａの真下に位置しており、導出口２６ａから落下する遊技球は高確率で振分装置２８の導入口２８ａに流入する。図示省略されているが、振分装置２８の内部には二股球通路とシーソー状の振分機構が収納されており、この振分機構によって導入口２８ａから流入した遊技球は二股球通路を介して第１始動入賞口３４と第２始動入賞口３５とに交互に導かれるようになっている。第１始動入賞口３４の上部には一対の可動片３４ａが設けられており、これら可動片３４ａは動作制御に基づいて、第１始動入賞口３４の開口を拡大（入賞容易化）させる第１可動位置と、第１可動位置よりも第１始動入賞口３４の開口を縮小させる第２可動位置とに移動する。同様に、第２始動入賞口３５の上部にも一対の可動片３５ａが設けられており、これら可動片３５ａも動作制御に基づいて、第２始動入賞口３５の開口を拡大させる第１可動位置と、第１可動位置よりも第２始動入賞口３５の開口を縮小させる第２可動位置とに移動する。
【００１９】
遊技盤７の盤面に露出する上記各部材について簡単に説明すると、可変表示装置２４は第１始動入賞口３４と第２始動入賞口３５のいずれか一方に遊技球が入賞することを契機に行われる特別図柄に係る電子抽選の結果に基づいて所定の演出態様を表示するためのものであり、本実施形態例ではＬＣＤ（液晶表示装置）が用いられている。この可変表示装置２４には、所定の演出態様の一部として、特別図柄表示装置３２に変動表示される特別図柄の組合せ及び変動表示時間と同期をとって演出用図柄が変動表示されると共に停止表示されるようになっている。特別図柄表示装置３２は、第１始動入賞口３４と第２始動入賞口３５のいずれか一方に遊技球が入賞することを契機に行われる特別図柄に係る電子抽選の結果（大入賞口を開閉可能な状態にするか否か）を、組合せ停止態様で報知するよう特別図柄の表示をするためのものであり、本実施形態例では７セグメント表示器が用いられている。普通図柄表示装置３３は遊技球がスルーチャッカー２９を通過することを契機に行われる普通図柄に係る電子抽選の結果（始動入賞口を開閉可能な状態にするか否か）を、組合せ停止態様で報知するよう普通図柄の表示をするためのものであり、本実施形態例では２つのＬＥＤランプが用いられている。
【００２０】
アタッカー装置２５は、第１始動入賞口３４と第２始動入賞口３５のいずれか一方に遊技球が入賞することを契機に行われる特別図柄に係る電子抽選の結果、当たり（特図当たり）となって大当たり遊技に移行した場合に作動される装置である。具体的には、特別図柄に係る抽選結果が当たり（特別図柄表示装置３２の特別図柄が予め定められた特定の停止態様となる）の場合、可変表示装置２４の表示画面上で演出用図柄の変動表示をさせた後に、変動停止させた演出用図柄の停止表示態様を例えば「７７７」のように停止させる。そして、同期する特別図柄表示装置３２の特別図柄が予め定められた特定の停止態様となることを契機に、アタッカー装置２５の可動片が大入賞口２５ａを露呈させる１ラウンドの開放処理を複数ラウンド繰り返す大当たり状態となり、遊技領域２１を流下する遊技球が露呈した大入賞口２５ａに入ると、前述したように、この遊技球は大入賞排出通路２５ｂを経由してステージ２６の後方の大入賞排出口へと導かれる。アタッカー装置２５は、１回の開放動作（１ラウンド）について例えば３０秒経過するまで、あるいは遊技球が大入賞口２５ａに例えば１０個入るまで開放状態を維持し、かかる開放動作を例えば１５回繰り返した後に大当たり遊技が終了する。また、第１始動入賞口３４と第２始動入賞口３５、大入賞口２５ａ、一般入賞口３０には、遊技球が入ったことを検知するためのセンサ（図示せず）がそれぞれ設けられており、これらセンサの検出に基づいて賞球払出装置１６は所定個数の遊技球を賞球として上段受皿１０（遊技者）に払い出す。そして、振分装置２８の導入口２８ａや一般入賞口３０等に入らなかった遊技球は、遊技領域２１の最下端部に設けられたアウト口３１から遊技盤７の裏面側に排出されるようになっている。
【００２１】
図５と図６に示すように、前記遊技盤７の中央部には大きな開口７ａが設けられており、センター役物２３はこの開口７ａの前面側から挿入されて遊技盤７に固定される。これにより、センター役物２３の開口部２３ａは遊技盤７の開口７ａ内において前後に貫通した状態となる。図示省略されているが、センター役物２３にはアタッカー装置２５の可動片を駆動するソレノイドや大入賞口２５ａに入った遊技球を検出するセンサ等の電気部品が搭載されており、これら電気部品はセンター役物２３の開口部２３ａの周囲裏面側に取り付けた中継基板３６に接続されている。この中継基板３６はワイヤーハーネス３７を介して前記主制御処理部１４の制御基板（メイン基板）に接続されており、ワイヤーハーネス３７は所定範囲に亘り装飾保護部材３８によって被覆されている。
【００２２】
なお、この装飾保護部材３８は退避姿勢と突出姿勢との両位置に移動可能となっており、センター役物２３を遊技盤７の開口７ａに挿入する際は、装飾保護部材３８を退避姿勢に位置させて挿入動作の妨げにならないようにしている。そして、センター役物２３を開口７ａに挿入して遊技盤７に固定した後に、装飾保護部材３８を退避姿勢から突出姿勢に移動して遊技盤７の背面側へ位置させることにより、ワイヤーハーネス３７を遊技盤７の外縁部まで引き回すようにしている。しかる後、当該遊技盤７を装飾役物部材２０に組み込んで両者を一体化すれば、ワイヤーハーネス３７を遊技盤７の背面と装飾役物部材２０の前面との間にできる空間に配置させつつ、遊技盤７の外縁部まで引き回して装飾役物部材２０の裏側に設けられた主制御処理部１４の制御基板に接続することができる。したがって、ワイヤーハーネス３７を保護する装飾保護部材３８が透明な遊技盤７を透して遊技者側から目視されることになり、それ自身が意匠部品であるような装飾を装飾保護部材３８に施すことにより、透明な遊技盤７の後方に意匠性を損なうことなくワイヤーハーネス３７を引き回すことができる。
【００２３】
図７に示すように、装飾役物部材２０には可変表示装置２４が組み込まれると共に、この可変表示装置２４の表示画面を取り囲むように、パトランプを模した演出ランプ３９や、蝶を模した複数（例えば３つ）の可動役物装置４０や、平面かつ湾曲状に広がる虹を模した複数（例えば２つ）の装飾体４１等が配設されている。遊技盤７と装飾役物部材２０を一体化した遊技盤ユニット６において、演出ランプ３９と各可動役物装置４０はセンター役物２３の開口部２３ａを通って遊技盤７の前面側に露出するが、虹を模した装飾体４１は遊技盤７に覆われて背面側に対向配置される。したがって、虹を模した装飾体４１は透明な遊技盤７を透して遊技者側から目視され、遊技盤７の遊技領域２１内に恰も虹が存在するような意匠形態を表現できる。なお、図３と図４において、これら装飾体４１や前記装飾保護部材３８は図示省略されているが、実際は透明な遊技盤７を透して装飾保護部材３８や各装飾体４１が目視されるようになっている。
【００２４】
可動役物装置４０はセンター役物２３の開口部２３ａの右側部分に上下方向に沿って３個配設されているが、各可動役物装置４０は大きさが若干異なるだけで基本的な構成は同じである。以下、図８〜図２２を参照しながら最下側の可動役物装置４０について詳しく説明する。
【００２５】
図８〜図２２に示すように、この可動役物装置４０は、装飾役物部材２０に固定される基台４３と、基台４３上に回転可能に搭載された支持台４４と、支持台４４の回転中心軸Ｑ（図１３参照）に沿って昇降可能に支持された駆動体４５と、駆動体４５の昇降動作に伴って開閉動作する一対の羽根状部材４６と、基台４３に取り付けられたモータ４７と、モータ４７を駆動源として正逆両方向へ回転可能な回転体４８と、支持台４４に組み込まれた回路基板４９および導光板５０等によって主として構成されている。
【００２６】
基台４３は上ケース５１と下ケース５２とからなり、両者５１，５２をネジ止めにより一体化することで内部に収納空間が確保されている。上ケース５１の中央部には円形孔５１ａが形成されており、上ケース５１の外周部には周方向へ突出する腕部５１ｂが形成されている。腕部５１ｂにはフォトインタラプタ（光検出素子）５３が保持板５４を介して取り付けられており、このフォトインタラプタ５３によって支持台４４の回転角度が検出されるようになっている。
【００２７】
下ケース５２には、上ケース５１の円形孔５１ａに対向する貫通孔５２ａと、貫通孔５２ａを包囲するように円弧状に延びるガイド孔５２ｂと、外周部から外側へ突出する保持部５２ｃとが形成されており、この保持部５２ｃにモータ４７がネジ止めされて取り付けられている。モータ４７の出力軸４７ａには中継歯車５５が固着されており、この中継歯車５５は回転体４８のギア部４８ａと噛合している。
【００２８】
回転体４８には、円弧状に延びる伝達板４８ｂと、伝達板４８ｂの背面から後方へ突出する湾曲壁４８ｃとが設けられており、前記ギア部４８ａは伝達板４８ｂの外周面に形成されている。伝達板４８ｂは両ケース５１，５２で挟まれた前記収納空間内に配置されており、伝達板４８ｂの両端部には背面側に突出するピン４８ｄが圧入・固定されている。これらピン４８ｄと湾曲壁４８ｃはガイド孔５２ｂに挿入されており、各ピン４８ｄに対して下ケース５２の外方から抜け止め具５６がＥリング等を用いて取り付けられている。これにより、回転体４８は下ケース５２に回転可能に保持された状態となり、モータ４７を正逆いずれかの方向に回転すると、その回転が中継歯車５５を介して回転体４８に伝達されるため、湾曲壁４８ｃがガイド孔５２ｂ内を円周方向に沿って移動する。なお、図１１，１９，２２において、下ケース５２は図示省略されているが、ガイド孔５２ｂは２点鎖線で示されている。
【００２９】
回転体４８の湾曲壁４８ｃにはカム孔５７が設けられており、このカム孔５７に駆動体４５の駆動ピン４５ａが係合している。図１４と図１６に示すように、このカム孔５７は下段平滑部５７ａと傾斜部５７ｂおよび上段平滑部５７ｃを有している。下段平滑部５７ａと上段平滑部５７ｃは駆動体４５の昇降方向（同図の上下方向）に位置ずれしており、これら両平滑部５７ａ，５７ｃの間に傾斜部５７ｂが形成されることにより、カム孔５７は湾曲壁４８ｃの周方向に沿って段違い状に連続した形状となっている。
【００３０】
駆動体４５は全体的にＬ字状に形成されており、支持台４４の回転中心軸Ｑ方向に延びる駆動棒４５ｂと、駆動棒４５ｂの下端側から直交方向へ突出する突出腕４５ｃとを有している。駆動棒４５ｂの上端には一対の支軸４５ｄが形成されており、前述した駆動ピン４５ａは突出腕４５ｃの先端に形成されている。
【００３１】
支持台４４は、上ケース５１上に載置された円板状の支持板５８と、支持板５８上にネジ止めにより一体化された外装体５９とからなり、これら支持板５８と外装体５９の間に回路基板４９と導光板５０が配置されている。
【００３２】
図１１，１９，２２に示すように、支持板５８の背面中央部には上ケース５１の円形孔５１ａに挿入される円環状突起５８ａが形成されており、この円環状突起５８ａの背面に上ケース５１の外側から止め板６０がネジ止めされている。止め板６０は中心部に逃げ孔６０ａを有しており、その外形寸法は円形孔５１ａより幾分大き目に設定されている。これにより、円形孔５１ａの外周側の上ケース５１が円環状突起５８ａと止め板６０とで挟持されるため、支持板５８（支持台４４）は上ケース５１（基台４３）に抜け止め状態で回転可能に保持される。また、支持板５８の背面に突起５８ｂが形成されており、この突起５８ｂが上ケース５１に形成された一対のストッパ壁５１ｃ，５１ｄに当接することにより、支持板５８の回転角度が所定範囲（本実施形態例の場合は約６０度）内に規定されている。なお、支持板５８と上ケース５１との間にスプリング６１が張架されており、このスプリング６１の弾性力によって支持板５８は回転方向の初期位置に付勢され、当該初期位置で突起５８ｂが一方のストッパ壁５１ｃに当接した状態となっている（図１１参照）。さらに、支持板５８の外周縁にはＬ字状に屈曲する検知突起５８ｅが形成されており、この検知突起５８ｅが支持板５８の回転に伴ってフォトインタラプタ５３の光路内に出入することより、フォトインタラプタ５３の光路が導通／遮断されてＨｉｇｈ／Ｌｏｗ信号を出力するようになっている。また、支持板５８の中央部には逃げ孔５８ｆが形成されており、この凹所５８ｆの周囲には貫通孔５８ｇが形成されている。
【００３３】
外装体５９は遮光性の樹脂成形品からなり、その前面に蝶の羽根形状をした大きめ目な開口５９ａと星形状をした小さめ目な開口５９ｂとが形成されている。この外装体５９には導光板５０を介して回路基板４９がネジ止め固定されており、回路基板４９の中央部には逃げ孔４９ａが形成されている。回路基板４９上には光源である複数のＬＥＤ６２が実装されており、これらＬＥＤ６２から発せられた光が導光板５０を透過して外装体５９の前方へ照射されるようになっている。また、回路基板４９の背面側には外部接続用のコネクタ６３が実装されており（図１３参照）、このコネクタ６３は支持板５８の貫通孔５８ｇを挿通して下方へ突出している。図示省略されているが、このコネクタ６３とモータ４７およびフォトインタラプタ５３にはそれぞれワイヤーハーネスの一端側が接続されており、これらワイヤーハーネスの他端側は遊技盤ユニット６の裏面側に設けられた前記副制御処理部１５に接続されている。これにより、副制御処理部１５はフォトインタラプタ５３の検知信号に基づいて支持台４４の回転位置を判定し、図１１に示すように、フォトインタラプタ５３の光路が支持板５８の検知突起５８ｅによって遮断されている場合、フォトインタラプタ５３のＬｏｗ信号に基づいて支持台４４が回転方向の初期位置にあると判断する。一方、図１９に示すように、検知突起５８ｅがフォトインタラプタ５３から外れて光路が導通されると、副制御処理部１５はフォトインタラプタ５３のＨｉｇｈ信号に基づいて、支持台４４が回転方向の初期位置にないと判断する。また、回路基板４９上の各ＬＥＤ６２は副制御処理部１５の制御信号に基づいて点滅動作され、同様に、モータ４７は副制御処理部１５の制御信号に基づいて回転制御（回転方向と回転量の制御）される。
【００３４】
導光板５０はアクリル樹脂等の透明樹脂からなる成形品であり、その中央部には逃げ孔５０ａが形成されている。また、導光板５０の外表面には蝶の羽根形状をした凸部５０ｂと星形状をした凸部５０ｃが形成されており、これら凸部５０ｂ，５０ｃは外装体５９の開口５９ａ，５９ｂ内に嵌め込まれて外部に露出している。さらに、導光板５０の内表面は光拡散機能を有するように凹凸面となっており、凸部５０ｂには回路基板４９上の各ＬＥＤ６２と対向する位置に光通し孔５０ｄが設けられている。これにより、各ＬＥＤ６２から発せられた光は、対向する光通し孔５０ｄをそのまま通過する直進光と、導光板５０で拡散されて散乱する散乱光としてそれぞれ前方へ照射されるようになる。
【００３５】
支持板５８の逃げ孔５８ｆを包囲する凹所には一対のガイド受体６４，６５が起立姿勢でネジ止めされており、前記駆動体４５の駆動棒４５ｂが両ガイド受体６４，６５間に昇降可能に保持されている。この駆動棒４５ｂは導光板５０と回路基板４９と支持板５８および止め板６０の各逃げ孔５０ａ，４９ａ，５８ａ，６０ａを通って支持台４４の背面側へ突出しており、駆動棒４５ｂの下端側から突出腕４５ｃが直交方向へ延出している。前述したように、突出腕４５ｃの先端に設けた駆動ピン４５ａが回転体４８のカム孔５７に挿入されているため、回転体４８の回転運動がカム孔５７の傾斜部５７ｂと駆動ピン４５ａとの係合部分で駆動体４５の垂直方向の動きに変換され、駆動体４５がガイド受体６４，６５に案内されながら図１３の上下方向、すなわち支持台４４の回転中心軸Ｑに沿った方向へ往復移動する。両ガイド受体６４，６５は駆動棒４５ｂを挟持した状態でネジ止めにより一体化されており、図１５に示すように、各ガイド受体６４，６５の上端部には一対の軸孔６４ａ，６５ａがそれぞれ形成されている。
【００３６】
一対の羽根状部材４６は蝶の羽根を模した透明樹脂製の成形品であり、これら羽根状部材４６は導光板５０に形成された羽根形状の凸部５０ｂの前方に配置されている。図１５に示すように、一方の羽根状部材４６の回転軸側の側辺中央部には傾斜片４６ａが突設されており、この傾斜片４６ａの先端側に軸部４６ｂと軸孔４６ｃが形成されている。この軸部４６ｂは両ガイド受体６４，６５の一方側の軸孔６４ａ，６５ａに挿入され、軸孔４６ｃは駆動体４５の上端部に形成された一方の支軸４５ｄに挿入されている。同様に、他方の羽根状部材４６にも傾斜片４６ａが突設されており、この傾斜片４６ａの先端側に軸部４６ｂと軸孔４６ｃが形成されている。この軸部４６ｂは両ガイド受体６４，６５の他方側の軸孔６４ａ，６５ａに挿入され、軸孔４６ｃは駆動体４５の他方の支軸４５ｄに挿入されている。これにより、駆動体４５が両ガイド受体６４，６５に沿って図１３の上下方向へ昇降動作すると、駆動体４５の直線運動が支軸４５ｄと軸孔４６ｃの係合部分を介して羽根状部材４６の回転運動に変換され、一対の羽根状部材４６がそれぞれの軸部４６ｂを中心に同図の実線位置と２点鎖線位置との間で開閉動作する。
【００３７】
また、図１４や図１５に示すように、両ガイド受体６４，６５の上方には蝶の胴体と頭部を模した固定装飾体６６が配置されており、この固定装飾体６６は羽根状部材４６と同様に透明樹脂製の成形品である。固定装飾体６６の長手方向の両端部にはそれぞれ二股形状の取付脚片６６ａが弾性変形可能に形成されている。これら取付脚片６６ａは、両ガイド受体６４，６５を互いに対向配置させた後に、それらの上部に左右の間隔をあけて設けられた２つの突起６６ｃの間に弾性変形させながら挿入してスナップ止めすることにより、固定装飾体６６は両羽根状部材４６の間で両ガイド受体６４，６５の上部に固定される。
【００３８】
図８や図１３に示すように、一対の羽根状部材４６は、導光板５０の凸部５０ｂから所定の間隔をあけた位置で、且つ導光板５０の凸部５０ｂの全ての上面領域（発光部）を覆って前方（遊技者）から見えないように配置されているため、回路基板４９上の各ＬＥＤ６２から発せられた光は、光通し孔５０ｄをそのまま通過したり導光板５０で拡散されながら外装体５９の前方に照射された後、各羽根状部材４６を透過して遊技者に目視されるようになっている。また、凸部５０ｂにおける上面領域は、羽根状部材４６の外形に沿って見えない程度に縮尺した形状とし、羽根状部材４６の全体がより輝くようにしているが如くに目視可能とさせている。したがって、一対の羽根状部材４６が回転動作しているときに各ＬＥＤ６２を点灯させると、蝶の羽根が光り輝きながらパタパタと羽ばたくようなインパクトのある可動演出を実現できる。その際、各羽根状部材４６の傾斜片４６ａが固定装飾体６６の両側方を回動し、羽根状部材４６の背面側から入射した各ＬＥＤ６２の光の一部が傾斜片４６ａを介して固定装飾体６６へと導かれるため、一対の羽根状部材４６だけでなく固定装飾体６６も光り輝かせることができる。また、一対の羽根状部材４６の回転動作における回転角度の範囲は、回転動作しても凸部５０ｂの上面領域が前方（遊技者）から見えないようような回転角度となる範囲設定が行われている。
【００３９】
本実施形態例に係る遊技機（パチンコ機）においては、遊技球が第１始動入賞口３４と第２始動入賞口３５のいずれか一方に入賞すると、前述したように、それを契機に主制御処理部１４で特別図柄に係る電子抽選によって大当たりの抽選を行うが、その抽選結果に基づいて副制御処理部１５が主制御処理部１４からの指令を受けて可動役物装置４０のモータ４７を回転制御するようになっている。これにより、可変表示装置２４の表示画面の右側部に配列した３つの可動役物装置４０が単独あるいは連続的に動作され、かかる可動役物装置４０の動きと可変表示装置２４の表示内容とを関連付けて遊技の演出効果が高められるようになっている。ここで、可動役物装置４０は、初期状態で一対の羽根状部材４６を広げたまま支持台４４がホームポジションで停止しているが、モータ４７の回転方向に応じて、ホームポジションから羽根状部材４６を広げたまま支持台４４が所定角度回転する回転動作と、ホームポジションで支持台４４を停止させたまま一対の羽根状部材４６が開閉する羽ばたき動作とを行うことができる。
【００４０】
まず、可動役物装置４０が動作する前の初期状態について説明すると、図９〜図１１に示すように、この初期状態で支持台４４（支持板５８と外装体５９）はスプリング６１の弾性力を受けてホームポジションで停止しており、支持板５８の突起５８ｂは上ケース５１の一方のストッパ壁５１ｃに当接している。また、支持板５８の検知突起５８ｅがフォトインタラプタ５３の光路内に侵入して光路を遮断しているため、フォトインタラプタ５３から副制御処理部１５に対してＬｏｗ信号が出力され、副制御処理部１５はそのＬｏｗ信号に基づいて支持台４４が回転方向の初期位置にあると判断する。
【００４１】
図１４に示すように、この初期状態においては、駆動体４５の駆動ピン４５ａがカム孔５７の上段平滑部５７ｃと係合しているため、駆動体４５はガイド受体６４，６５に沿って上昇位置へ移動している。したがって、駆動体４５の支軸４５ｄに連結された各羽根状部材４６はそれぞれ軸部４６ｂを中心に外向きに回転駆動され、図１３の実線で示すように、一対の羽根状部材４６は最大角度に開いた状態で外装体５９の前面に近接している。残り２つの可動役物装置４０も同様であるため、図３に示すように、動作前の初期状態においては、恰も３匹の蝶が羽根を広げた状態となっている。
【００４２】
この状態で副制御処理部１５がモータ４７を例えば正方向へ回転制御すると、その回転が中継歯車５５を介して回転体４８に伝達されるため、回転体４８が下ケース５２上を図１１の矢印Ｐ１方向（時計回り方向）へ回転し、それに伴って湾曲壁４８ｃがガイド孔５２ｂ内を同方向へ移動する。これにより、駆動ピン４５ａがカム孔５７の上段平滑部５７ｃの端部に押圧されて湾曲壁４８ｃと共回りするため、図１７〜図１９に示すように、駆動体４５が駆動棒４５ｂの長軸を中心に回転体４８と同方向へ回転し、それに伴ってガイド受体６４，６５や支持板５８等からなる支持台４４が基台４３（上ケース５１と下ケース５２）に対して回転する。その際、駆動ピン４５ａは上段平滑部５７ｃの端部に当接したまま同一平面内を移動するため、駆動体４５の上下方向の位置は変化せず、一対の羽根状部材４６は最大角度に開いた状態を維持する。したがって、図９と図１７を対比すれば明らかなように、可動役物装置４０を遊技盤７の正面から見ると、支持台４４はホームポジションから反時計回り方向へ所定角度（約６０度）だけ回転し、一対の羽根状部材４６は最大角度を維持したまま支持台４４と一緒に回転する。
【００４３】
また、このようにして支持台４４がホームポジションから図１９に示す位置まで回転すると、支持板５８の突起５８ｂが一方のストッパ壁５１ｃから離れて他方のストッパ壁５１ｄに当接するため、当該位置で支持台４４の回転角度が最大値に規定される。さらに、支持台４４の回転に伴ってスプリング６１が引き伸ばされるため、このスプリング６１に支持台４４をホームポジションに戻そうとする復帰力が蓄力される。また、支持台４４の回転に伴って検知突起５８ｅがフォトインタラプタ５３の光路から退避する位置へ移動するため、フォトインタラプタ５３から副制御処理部１５に対してＨｉｇｈ信号が出力され、副制御処理部１５はそのＨｉｇｈ信号に基づいて支持台４４がホームポジションから外れたものと判定する。
【００４４】
なお、支持台４４が図１９に示す回転動作位置にあるとき、モータ４７が副制御処理部１５の制御信号によって逆方向へ回転すると、回転体４８が図１９の反時計回り方向へ回転し、それに伴って湾曲壁４８ｃがガイド孔５２ｂ内を同方向へ移動して図１１に示す初期位置に戻る。同時に、支持台４４がスプリング６１の復帰力によって初期位置に戻るため、駆動ピン４５ａはカム孔５７の上段平滑部５７ｃの端部に係合したまま湾曲壁４８ｃと共回りし、回転体４８と支持台４４は再びホームポジションで停止した状態となる。また、この間で副制御処理部１５はモータ４７の回転を制御して支持台４４に別の動きを行わせることもでき、例えば、モータ４７を正逆両方向へ交互に回転制御すると、支持台４４がホームポジションに戻る途中位置で小刻みに首振り動作するようになる。
【００４５】
また、可動役物装置４０が図１１に示す初期状態にあるとき、副制御処理部１５がモータ４７を上記と反対の逆方向へ回転制御すると、回転体４８が下ケース５２上を図１１の矢印Ｐ２方向（反時計回り方向）へ回転し、それに伴って湾曲壁４８ｃがガイド孔５２ｂ内を同方向へ移動するため、駆動ピン４５ａがカム孔５７の上段平滑部５７ｃから傾斜部５７ｂを経て下段平滑部５７ａへと移動する。その際、駆動ピン４５ａが傾斜部５７ｂを通過するときに、両者の係合部分で回転体４８の回転運動が駆動体４５の直線運動に変換され、駆動ピン４５ａが傾斜部５７ｂを通過して下段平滑部５７ａへ移行すると、駆動ピン４５ａと下段平滑部５７ａの係合位置に関わらず回転体４８の回転が駆動体４５に伝達されなくなる。これにより、図２０〜図２２に示すように、駆動体４５がガイド受体６４，６５に沿って上昇位置から下降位置へと移動し、それに伴って一対の羽根状部材４６が軸部４６ｂを中心に開き角度を狭める方向へ回転する。しかる後にモータ４７の回転方向を切り換えて正方向へ回転すると、今度は駆動ピン４５ａがカム孔５７の下段平滑部５７ａから傾斜部５７ｂを経て上段平滑部５７ｃへ戻り、このようにモータ４７を正逆両方向へ交互に回転制御することにより、一対の羽根状部材４６が図１３の実線位置と２点鎖線位置との間で開閉動作する。この間、駆動ピン４５ａはカム孔５７内を移動するだけで回転体４８からの回転力を受けないため、駆動体４５やガイド受体６４，６５等は回転せず、支持台４４は回転方向の初期位置に停止したままとなる。したがって、図９と図２０を対比すれば明らかなように、可動役物装置４０を遊技盤７の正面から見ると、支持台４４はホームポジションで停止しまままの状態を維持し、この支持台４４の前方で一対の羽根状部材４６がパタパタと羽ばたくように開閉動作する。
【００４６】
なお、前述した可動役物装置４０の回転動作や羽ばたき動作中に回路基板４９上の各ＬＥＤ６２を発光させると、各ＬＥＤ６２の光が導光板５０の光通し孔５０ｄを通過してそのまま、あるいは導光板５０で拡散されながら外装体５９の前方に位置する各羽根状部材４６の背面に向けて照射されるため、その光が各羽根状部材４６を透過して遊技者に目視される。特に、一対の羽根状部材４６が回転動作している最中に各ＬＥＤ６２を発光させると、蝶の羽根が光り輝きながらパタパタと羽ばたくようなインパクトのある可動演出を実現できる。この場合、各羽根状部材４６の傾斜片４６ａが固定装飾体６６の両側方を回動し、羽根状部材４６の背面側から入射したＬＥＤ６２の光の一部が傾斜片４６ａを介して固定装飾体６６へと導かれるため、一対の羽根状部材４６だけでなく固定装飾体６６も光り輝かせることができる。
【００４７】
以上説明したように、本実施形態例に係る可動役物装置４０は、モータ４７を駆動源として正逆両方向へ回転可能な回転体４８を備え、この回転体４８に平滑部（下段平滑部５７ａ，上段平滑部５７ｃ）と傾斜部５７ｂを連続させたカム孔５７が設けてあると共に、支持台４４に昇降可能に支持された駆動体４５にカム孔５７と係合する駆動ピン４５ａを設けてあり、回転体４８を初期位置から一方向へ回転して駆動ピン４５ａがカム孔５７の傾斜部５７ｂを通過するときに、これら駆動ピン４５ａと傾斜部５７ｂの係合部分で回転体４８の回転運動が駆動体４５の直線運動に変換されるため、駆動体４５の昇降動作に伴って一対の羽根状部材４６を蝶のようにパタパタと開閉動作させることができる。また、回転体４８を初期位置から他方向へ回転してカム孔５７の上段平滑部５７ｃの端部に駆動ピン４５ａを当接させることにより、回転体４８の回転運動が駆動体４５を介して支持台４４に伝達されるため、一対の羽根状部材４６を支持台４４と一緒に回転動作させることができる。したがって、駆動制御手段である副制御処理部１５の制御信号に基づいて１つのモータ４７の回転方向を正逆いずれかに選択することにより、一対の羽根状部材４６を支持台４４上で開閉させる羽ばたき動作と、各羽根状部材４６を支持台４４と一緒に回転させる回転動作とを行うことができ、部品点数を削減してコストの低減化を図ることができる。
【００４８】
また、一対の羽根状部材４６が光透過性材料で形成されていると共に、支持台４４にＬＥＤ６２（光源）を実装した回路基板４９と導光板５０とを組み込み、ＬＥＤ６２の光が導光板５０を透過して各羽根状部材４６の裏面に照射されるようになっているため、羽根状部材４６の羽ばたき動作や回転動作による可動演出だけでなく、羽根状部材４６そのものを光らせるという照光演出も付加され、興趣性がより一層高い可動役物装置４０を実現することができる。
【００４９】
また、回転体４８の湾曲壁４８ｃに設けられたカム孔５７を傾斜部５７ｂの両端に下段平滑部５７ａと上段平滑部５７ｃが段違いで連続するカム形状とし、駆動ピン４５ａがカム孔５７の上段平滑部５７ｃから外れて傾斜部５７ｂを通過するときに、両者の係合部分で回転体４８の回転運動を駆動体４５の直線運動に変換し、駆動ピン４５ａが傾斜部５７ｂを通過して下段平滑部５７ａへ移行した時点で、駆動ピン４５ａと下段平滑部５７ａの係合位置に関わらず回転体４８の回転を駆動体４５に伝達しないようにしてある。すなわち、下段平滑部５７ａは回転体４８の回転位置のズレを吸収する不感帯領域として機能し、このような不感帯領域（下段平滑部５７ａ，上段平滑部５７ｃ）がカム孔５７に形成されているため、仮に回転体４８の停止位置が設定角度に対して若干ズレたとても、駆動体４５の下降位置は変化せずに一対の羽根状部材４６の開閉角度を正確に規定できる。ただし、下段平滑部５７ａを省略して傾斜部５７ｂと上段平滑部５７ｃだけが連続するカム形状としても良く、その場合、回転体４８の正逆両方向への回転に伴って駆動ピン４５ａは上段平滑部５７ｃと傾斜部５７ｂとの間を移動することになる。
【００５０】
さらに、複数（３つ）の可動役物装置４０を近接状態で列状に配置し、各可動役物装置４０が前述した回転動作や羽ばたき動作を単独あるいは連続的に行うようになっているため、例えば、全ての可動役物装置４０を同時または下から順に羽ばたき動作させたり、特定の可動役物装置４０だけを回転動作させる等、大当たりの期待値に応じた種々の可動演出を実現することができる。
【００５１】
なお、上記実施形態例では、３つの可動役物装置４０を可変表示装置２４の表示画面の右側方に列状に配置した場合について説明したが、可動役物装置４０の数や配置場所はこれに限らず、例えば、可変表示装置２４の上方位置に１つの可動役物装置４０を配置し、この可動役物装置４０を回転動作や羽ばたき動作させるようにしても良い。
【００５２】
また、上記実施形態例では、本発明による可動役物装置４０をパチンコ機に適用した場合について説明したが、本発明の可動役物装置４０はスロットマシン等の他の遊技機にも適用可能である。
【符号の説明】
【００５３】
６  遊技盤ユニット
７  遊技盤
１４  主制御処理部
１５  副制御処理部（駆動制御手段）
２０  装飾役物部材
２３  センター役物
２４  可変表示装置
４０  可動役物装置
４３  基台
４４  支持台
４５  駆動体
４５ａ  駆動ピン
４５ｂ  駆動棒
４５ｃ  突出腕
４５ｄ  支軸
４６  羽根状部材
４６ａ  傾斜片
４６ｂ  軸部
４６ｃ  軸孔
４７  モータ
４８  回転体
４８ａ  ギア部
４８ｂ  伝達板
４８ｃ  湾曲壁
４９  回路基板
５０  導光板
５０ｂ，５０ｃ  凸部
５０ｄ  光通し孔
５１  上ケース
５１ｃ，５１ｄ  ストッパ壁
５２  下ケース５２
５２ｂ  ガイド孔
５５  中継歯車
５７  カム孔
５７ａ  下段平滑部
５７ｂ  傾斜部
５７ｃ  上段平滑部
５８  支持板
５９  外装体
５９ａ，５９ｂ  開口
６０  止め板
６１  スプリング
６２  ＬＥＤ（光源）
６４，６５  ガイド受体
６６  固定装飾体
６６ａ  取付脚片
【図１】
0005848155.tif 000002
【図２】
0005848155.tif 000003
【図３】
0005848155.tif 000004
【図４】
0005848155.tif 000005
【図５】
0005848155.tif 000006
【図６】
0005848155.tif 000007
【図７】
0005848155.tif 000008
【図８】
0005848155.tif 000009
【図９】
0005848155.tif 000010
【図１０】
0005848155.tif 000011
【図１１】
0005848155.tif 000012
【図１２】
0005848155.tif 000013
【図１３】
0005848155.tif 000014
【図１４】
0005848155.tif 000015
【図１５】
0005848155.tif 000016
【図１６】
0005848155.tif 000017
【図１７】
0005848155.tif 000018
【図１８】
0005848155.tif 000019
【図１９】
0005848155.tif 000020
【図２０】
0005848155.tif 000021
【図２１】
0005848155.tif 000022
【図２２】
0005848155.tif 000023